(57)【特許請求の範囲】
【請求項１】
コンクリートスラブ上にモルタル層を介して石材を設置して固定する構造において、不織布、メッシュホース、溝付き板等の通気機能を有するシート、パイプないし板体を前記コンクリートスラブと前記モルタル層との間に設けることによって通気層を形成するとともに、該通気層から湿気を放出するための排気経路を該通気層に通じるように設け、
前記排気経路を、通気機能を有する幅木と、その幅木と通気層との間に設けられた通気性を有する目地材とにより形成し、かつ、モルタル層および石材の縁部と目地材との間にエッジ材を設けたことを特徴とする石材の設置構造。
【請求項２】
前記通気層と前記モルタル層との間に不透湿メンブレンを設けることによって防湿層を形成してなることを特徴とする請求項１記載の石材の設置構造。
【発明の詳細な説明】
【０００１】
【発明の属する技術分野】
本発明は、建物の床面に仕上材として石材を設置する際に適用される石材の設置構造に関する。
【０００２】
【従来の技術】
周知のように、高級感のある床仕上材として天然石材が従来より多用されているが、石材を仕上材として床に設置するに際しては、施工が容易でありかつ強度的に十分な安定性を確保し得ることから、湿式工法が一般に採用されている。
【０００３】
石材の湿式工法とは、図３に示すように、設置対象床面であるコンクリートスラブ１上にモルタル層２を介して石材３を固定するものである。この場合、モルタル層２としてはセメントと砂の混合割合が１：７程度でありかつ水を殆ど加えることなくわずかに湿り気を帯びている程度の乾燥状態のモルタル（いわゆるバサモル）を用い、その表層部にのみセメントペースト２ａ（いわゆるノロ）を用いて石材３を固定することとしている。
【０００４】
【発明が解決しようとする課題】
ところで、上記のような湿式工法により石材３を設置した場合、コンクリートスラブ１が保有している水分が水蒸気となってモルタル層２を透過し、さらに石材３自体をも透過してしまうことがあり、その結果、石材３の表面に濡れ色や汚染、ポップアウトが生じてしまうことがある。特に、近年においては床暖房を行なうことも多く、その場合は多量の水蒸気が一度に発生することから上記のような問題が多発している。そして、石材３の表面に一度汚染やポップアウトが生じてしまうともはや回復する余地はないから石材３を交換するしかなく、そのため多額の補修費用を要することになり、そのような事態を防止し得る有効な改善策が要望されていた。
【０００５】
【課題を解決するための手段】
上記事情に鑑み、本発明は、コンクリートスラブ上にモルタル層を介して石材を設置して固定する構造において、不織布、メッシュホース、溝付き板等の通気機能を有するシート、パイプないし板体を前記コンクリートスラブと前記モルタル層との間に設けることによって通気層を形成するとともに、該通気層から湿気を放出するための排気経路を該通気層に通じるように設け、前記排気経路を、通気機能を有する幅木と、その幅木と通気層との間に設けられた通気性を有する目地材とにより形成し、かつ、モルタル層および石材の縁部と目地材との間にエッジ材を設けたことを特徴とする。この場合、前記通気層と前記モルタル層との間に不透湿メンブレンを設けることによって防湿層を形成することが好適である。 
【０００７】
【発明の実施の形態】
図１は本発明の実施形態を示すものである。本実施形態は、床仕上材としての石材３をコンクリートスラブ１上にモルタル層２を介して設置、固定するものであるが、従来一般の構造ではコンクリートスラブ１上にモルタル層２を直接的に設けていたのに対し、本実施形態ではコンクリートスラブ１とモルタル層２との間に通気層４および防湿層５を設け、かつ通気層４に通じる排気経路６を確保した点に特徴を有する。
【０００８】
すなわち、本実施形態では、コンクリートスラブ１から生じる水蒸気が通気し得る機能を有する各種のシートやパイプあるいは板材、たとえばポリエステルの不織布、メッシュホース、溝付き板等をコンクリートスラブ１上に敷設することで通気層４を形成するとともに、その上に水蒸気を通さない不透湿メンブレンたとえば塩ビシート、ポリスチレンフィルム等を積層し、あるいはポリウレタン、ポリマーセメントモルタル等を塗布することで防湿層５を形成し、その上にモルタル層２を設けるようにしている。また、壁際には、たとえば連続気泡ポリエチレン、穴あきプラスチック、防腐処理木材、押出アルミニウム合金材等の通気性を有する材料により形成された目地材７を上記通気層４に通じるように設け、さらに、中空構造とされていて通気機能を有する通気型幅木８を目地材７に連続するように設け、それら目地材７と通気型幅木８により排気経路６を確保した構造とされている。符号９はモルタル層２および石材３の縁部に接するように設けられる適宜のエッジ材である。
【０００９】
上記構造によれば、コンクリートスラブ１から通気層４内に蒸発した水蒸気は防湿層５により遮断されてモルタル層２まで達することはなく、通気層４内において横方向に流れて目地材７に達し、目地材７から通気型幅木８内を通って外部に速やかに排出されてしまう。これによりコンクリートスラブ１の乾燥が促進されるとともに、コンクリートスラブ１から発生する水蒸気が従来のようにモルタル層２および石材３を透過してしまうことが防止され、その結果、石材３に濡れ色や汚染、ポップアウトを生じることが未然に防止される。なお、上記のように通気型幅木８を目地材７を介して通気層４に通じるように構成することで排気経路６を確保することは意匠的にも好ましい。
【００１０】
ところで、天然石材の透湿性は種類ごとにかなり異なるものであり、上記実施形態の構造は石材３の透湿抵抗が特に小さい（水蒸気が透過しやすく、したがって濡れ色等が発生しやすい）場合に適用して好適であるが、たとえば花崗岩のように透湿抵抗が比較的大きい石材に対しては、図２に示すように防湿層５を省略しても同等の効果が得られる。この場合は、コンクリートスラブ１からの水蒸気の一部は通気層４からモルタル層２に達するものの、石材３の透湿抵抗が通気層４のそれよりも遥かに大きい場合には水蒸気は石材３を透過することなく通気層４から排気経路６を通って自ずと放出されてしまうからである。
【００１２】
【発明の効果】
以上のように、本発明は、コンクリートスラブとモルタル層との間に通気層を設けるとともに通気層に通じる排気経路を設けるものであるから、コンクリートスラブから生じる水蒸気を通気層および排気経路を通して放出させることができ、したがって水蒸気が石材を透過して濡れ色、汚染、ポップアウトを生じることを有効に防止することができる。そして、前記排気経路を、通気機能を有する幅木と、その幅木と通気層との間に設けられた通気性を有する目地材とにより形成し、かつ、モルタル層および石材の縁部と目地材との間にエッジ材を設けたので、意匠的にも好ましい。また、通気層とモルタル層との間に不透湿メンブレンによる防湿層を設ければ、その防湿層により水蒸気が遮断されてモルタル層に透過することが防止でき、石材の透湿抵抗が小さい場合に採用して特に好適である。
【図面の簡単な説明】
【図１】本発明の一実施形態である石材の設置構造を示す断面図である。
【図２】本発明の他の実施形態である石材の設置構造を示す断面図である。
【図３】従来の石材の設置構造を示す断面図である。
【符号の説明】
１  コンクリートスラブ
２  モルタル層
３  石材
４  通気層
５  防湿層
６  排気経路
７  目地材
８  通気型幅木
９  エッジ材
【図１】
0003608145.tif 000002
【図２】
0003608145.tif 000003
【図３】
0003608145.tif 000004